(57)【要約】【課題】録画されたスプリット番組を管理することは、ユーザにとって煩雑であるという問題があった。このため、スプリット番組の管理に係る煩雑さを低減し、ユーザの利便性を向上させることが課題となっていた。【解決手段】実施形態の番組再生装置は、スプリット番組に係る情報を取得するスプリット番組情報取得部を備える。また、指示に応じ、録画された番組を再生する番組再生部を備える。また、前記再生指示された番組がスプリット番組である場合に、前記取得されたスプリット番組に係る情報に基づいて、前記再生指示された番組に継続する録画されたスプリット番組を再生するスプリット番組再生部を備える。【選択図】  図６
2015039065.tif 000002
【特許請求の範囲】
【請求項１】
スプリット番組に係る情報を取得するスプリット番組情報取得部と、
指示に応じ、録画された番組を再生する番組再生部と、
前記再生指示された番組がスプリット番組である場合に、前記取得されたスプリット番組に係る情報に基づいて、前記再生指示された番組に継続する録画されたスプリット番組を再生するスプリット番組再生部を備える番組再生装置。
【請求項２】
前記録画された番組をリスト表示する録画番組リストを出力する録画番組リスト出力部を備える請求項１に記載の番組再生装置。
【請求項３】
前記録画番組リストは録画されたスプリット番組を識別表示するスプリット番組識別表示部を備える請求項２に記載の番組再生装置。
【請求項４】
前記録画された番組に関連するスプリット番組が前記録画番組リストに複数含まれる場合は、前記複数の関連するスプリット番組を関連付けて表示するスプリット番組関連表示部を備える請求項２に記載の番組再生装置。
【請求項５】
前記スプリット番組の再生中に早送り再生またはスキップ再生指示を受けた場合は、前記取得されたスプリット番組に係る情報に基づいて、継続するスプリット番組を再生する請求項１に記載の番組再生装置。
【請求項６】
前記取得されたスプリット番組に係る情報を記憶する記憶部を備える請求項１に記載の番組再生装置。
【請求項７】
映像を表示する映像表示部と、
スプリット番組に係る情報を取得するスプリット番組情報取得部と、
指示に応じ、録画された番組を前記映像表示部に再生出力する番組再生部と、
前記再生指示された番組がスプリット番組である場合に、前記取得されたスプリット番組に係る情報に基づいて、前記再生指示された番組に継続する録画されたスプリット番組を前記映像表示部に再生出力するスプリット番組再生部を備える映像表示装置。
【請求項８】
スプリット番組に係る情報を取得するステップと、
指示に応じ、録画された番組を再生するステップと、
前記再生指示された番組がスプリット番組である場合に、前記取得されたスプリット番組に係る情報に基づいて、前記再生指示された番組に継続する録画されたスプリット番組を再生するステップを備える番組再生方法。
【発明の詳細な説明】
【技術分野】
【０００１】
本発明の実施形態は、番組再生装置、映像表示装置、番組再生方法に関する。
【背景技術】
【０００２】
近年、デジタル放送が普及しつつある。
そして、ユーザは、デジタル放送で放送された番組を受信して録画装置に録画し、録画された番組を簡易に再生し、視聴できるようになっている。
しかし、デジタル放送に係る放送形態は国や地域によって異なり、運用もそれぞれの国や地域によって異なっているのが実情である。このため、放送番組の録画や録画番組の再生においても、国や地域によって異なる放送形態に対応する必要がある。
【０００３】
例えば、北欧における放送の運用規格（ＮＯＲＧＥ規格）に、１つの番組を複数に分割して放送するスプリット番組がある。
スプリット番組の放送形態には、例えば、１つの番組を第１のスプリット番組と第２のスプリット番組に分割（スプリット）し、この分割された第１のスプリット番組と第２のスプリット番組の間にスプリット番組とは関連のない番組が放送される形態がある。
【０００４】
この第１のスプリット番組と第２のスプリット番組に分割（スプリット）された１つの番組を録画するには、上記第１のスプリット番組と上記第２のスプリット番組の両方を録画する必要がある。
【０００５】
しかし、録画されたスプリット番組を管理することは、ユーザにとって煩雑であるという問題があった。
このため、スプリット番組の管理に係る煩雑さを低減し、ユーザの利便性を向上させることが望まれていた。
【先行技術文献】
【特許文献】
【０００６】
【特許文献１】特開２００６−１８００５８号公報
【発明の概要】
【発明が解決しようとする課題】
【０００７】
録画されたスプリット番組を管理することは、ユーザにとって煩雑であるという問題があった。
このため、スプリット番組の管理に係る煩雑さを低減し、ユーザの利便性を向上させることが課題となっていた。
【課題を解決するための手段】
【０００８】
実施形態の番組再生装置は、スプリット番組に係る情報を取得するスプリット番組情報取得部を備える。
また、指示に応じ、録画された番組を再生する番組再生部を備える。
また、前記再生指示された番組がスプリット番組である場合に、前記取得されたスプリット番組に係る情報に基づいて、前記再生指示された番組に継続する録画されたスプリット番組を再生するスプリット番組再生部を備える。
【図面の簡単な説明】
【０００９】
【図１】実施形態に係る番組再生装置の構成の一例を示すブロック図。
【図２】実施形態に係る番組再生装置の外観図。
【図３】実施形態に係わるスプリット番組を説明する図。
【図４】実施形態に係わるスプリット番組の管理に係る一般的な方法を説明する図。
【図５】実施形態に係わるスプリット番組の管理方法を説明する図。
【図６】実施形態に係る番組再生装置から出力されるスプリット番組の録画リストを示す図。
【図７】実施形態に係る番組再生装置におけるスプリット番組の再生処理動作の一例を説明するフローチャート。
【図８】実施形態に係る番組再生装置におけるスプリット番組の再生処理動作の他の例を説明するフローチャート。
【図９】実施形態に係る番組再生装置において、スプリット番組の再生中に早送り指示またはスキップ処理指示を受ける場合の動作を説明するフローチャート。
【発明を実施するための形態】
【００１０】
以下、図面を参照し、実施の形態を説明する。
図１は、実施形態に係る番組再生装置の構成の一例を示すブロック図である。
符号１は映像表示装置（番組再生装置）であり、ここではテレビである。符号２はアンテナ、符号３はチューナ、符号４は信号処理部、符号５は映像処理部、符号６は音声処理部、符号７は表示装置、符号８は表示画面（映像表示部）、符号９はスピーカ、符号１０はバス、符号１１は制御部、符号１２はＭＰＵ、符号１３はＲＡＭ、符号１４はＲＯＭ、符号１５はフラッシュメモリ、符号１６は記憶部、符号１７は内部記録装置、符号１８は外部インターフェース、符号１９は外部記憶装置、符号２０は操作受信部、符号２１はリモコン、符号２２は送受信部（ネットワークインターフェース）、符号２５は放送局、符号２６はネットワーク（インターネット）、符号２７はサーバである。
【００１１】
ここでは、制御部１１はＭＰＵ（１２）を備え、映像表示装置（番組再生装置）１を制御する。ＲＡＭ（１３）、ＲＯＭ（１４）、フラッシュメモリ１５は、例えば制御部１１で行われる処理に利用される。
【００１２】
例えば、放送局２５からデジタル放送で映像コンテンツが放送される。放送局２５から放送されたデジタル放送はチューナ３で受信され、選局処理が行われ、デジタル信号の映像コンテンツが信号処理部４に送信される。
【００１３】
信号処理部４で受信されたデジタル信号の映像コンテンツは信号処理が施され、音声処理部６および映像処理部５に送信される。
音声処理部６は信号処理が施された映像コンテンツを受信し、音声処理を施した信号をスピーカ９に送信する。
スピーカ９は音声処理が施された信号を受信し、音声を出力する。
また、映像処理部５は信号処理が施された映像コンテンツを受信し、映像処理を施した信号を表示装置７に送信する。
表示装置７は映像処理が施された信号を受信し、ＬＣＤパネル等で構成される表示画面（映像表示部）８に映像を表示する。
また、この実施の形態においては、映像表示装置（番組再生装置）１は内部記憶装置１７を備え、上記受信された映像コンテンツを記録することが可能である。
また、この実施の形態においては、映像表示装置（番組再生装置）１は上記のようにＵＳＢ接続やＬＡＮ接続される外部記憶機器１９を備えている。上記受信された映像コンテンツはこの外部記憶機器１９に記録することも可能である。
【００１４】
また映像表示装置（番組再生装置）１に対するユーザの操作は、例えばリモコン（リモートコントローラ）２１等の操作機器によって指示される。
これらの処理は、制御部１１に制御される。
また、上記のように、映像表示装置（番組再生装置）１は送受信部（ネットワークインターフェース）２２を介してサーバ２７に接続され、例えばウェッブページを受信してブラウジングすることが可能である。
【００１５】
図２は、実施形態に係る番組再生装置（映像表示装置）の外観図である。
ユーザがリモコン２１を操作し、所定の入力を行うと、リモコン２１からリモコン信号が出力され、番組再生装置（映像表示装置）１の操作受信部で受信される。
例えば、この番組再生装置（映像表示装置）１の動作は、このリモコン２１から出力されるリモコン信号によって番組の録画や再生が指示される。
図３は、実施形態に係わるスプリット番組を説明する図である。
ここでスプリット番組について説明する。
上記のように、スプリット番組の放送形態には、例えば、１つの番組を第１のスプリット番組と第２のスプリット番組に分割（スプリット）し、この分割された第１のスプリット番組と第２のスプリット番組の間にスプリット番組とは関連のない番組が放送される形態がある。
【００１６】
この１つの番組を録画するには、それぞれ異なる番組である上記第１のスプリット番組と上記第２のスプリット番組の両方を録画する必要がある。
ここでは、符号３１ａを付した番組（１）（Ｐｒｏｇｒａｍ−Ａ１）と符号３１ｂを付した番組（３）（Ｐｒｏｇｒａｍ−Ａ２）は、１つの番組を２つの番組に分割（スプリット）した番組であり、関連性がある。
【００１７】
しかし、符号３２ａを付した番組（２）（Ｐｒｏｇｒａｍ−Ｂ）は、番組（１）（Ｐｒｏｇｒａｍ−Ａ１）３１ａおよび番組（３）（Ｐｒｏｇｒａｍ−Ａ２）３１ｂとは関連性がない。
【００１８】
すなわち、この分割された第１のスプリット番組（番組（１）（Ｐｒｏｇｒａｍ−Ａ１）３１ａ）と第２のスプリット番組（番組（３）（Ｐｒｏｇｒａｍ−Ａ２）３１ｂ）の間には、スプリット番組とは関連のない番組（番組（２）（Ｐｒｏｇｒａｍ−Ｂ）３２ａ）が挟まれた形で放送されている。
【００１９】
また、このデジタル放送においては、例えば、ＥＩＴ（Ｅｖｅｎｔ  Ｉｎｆｏｒｍａｔｉｏｎ  Ｔａｂｌｅ）も送信されており、このＥＩＴには、番組の名称や放送日時、放送内容など番組に関連する情報が含まれている。
【００２０】
また、この実施の形態においては、このＥＩＴに例えば、上記第１のスプリット番組（番組（１）（Ｐｒｏｇｒａｍ−Ａ１）３１ａ）と第２のスプリット番組（番組（３）（Ｐｒｏｇｒａｍ−Ａ２）３１ｂ）の関連性に関する情報が含まれており、映像表示装置（番組再生装置）１は、このスプリット番組に関する情報を取得することで受信したスプリット番組に関する情報を知ることができる。
【００２１】
この実施の形態においては、後述するように、上記第１のスプリット番組（番組（１）（Ｐｒｏｇｒａｍ−Ａ１）３１ａ）と第２のスプリット番組（番組（３）（Ｐｒｏｇｒａｍ−Ａ２）３１ｂ）の両方を録画し、例えば、ユーザに１つのタイトルとして見せるようにする。また、スプリット番組の再生を、第１のスプリット番組の再生が終了したら、第２のスプリット番組の先頭から継続して再生するようにする。
【００２２】
これらの処理は、例えば制御部１１に制御され、番組再生装置（映像表示装置）１によって行われる。
図４は、実施形態に係わるスプリット番組の管理に係る一般的な方法を説明する図である。
ここでは、第１のスプリット番組（番組（１）（Ｐｒｏｇｒａｍ−Ａ１）３１ａ）と第２のスプリット番組（番組（３）（Ｐｒｏｇｒａｍ−Ａ２）３１ｂ）を、ユーザに１つのタイトルとして見せるようにする。
【００２３】
図４（ａ）は１フォルダで１タイトルを表すフォルダをそれぞれ作成した後に、作成された複数のフォルダから別の１つのフォルダを作成する方法であり、一般的な方法である。
【００２４】
すなわち、ここでは、まず、第１のスプリット番組（番組（１）（Ｐｒｏｇｒａｍ−Ａ１）３１ａ）に関するフォルダ（３１ａ）と第２のスプリット番組（番組（３）（Ｐｒｏｇｒａｍ−Ａ２）３１ｂ）に関するフォルダ（３１ｂ）、および第１のスプリット番組（番組（１）（Ｐｒｏｇｒａｍ−Ａ１）３１ａ）と第２のスプリット番組（番組（３）（Ｐｒｏｇｒａｍ−Ａ２）３１ｂ）のスプリット番組に関する情報に関するフォルダ（４１）を作成する。
【００２５】
続いて、これらのフォルダをまとめ、ユーザに１つのタイトルとして見せる別のフォルダ４０を作成する。
ここでは、この別のフォルダ４０を作成する必要がある。また、録画コンテンツの管理を１ファイルで１タイトルとして運用している場合は、利用できない場合がある。
【００２６】
図４（ｂ）は、例えば、録画の一時停止機能を利用し、関連のない番組が放送されている間は録画を一時停止し、１つのタイトルとしての録画する方法である。
ここでは、上記スプリット番組とは関連のない番組（番組（２）（Ｐｒｏｇｒａｍ−Ｂ）３２ａ）が放送されている時間は、番組再生装置（映像表示装置）１の録画機能を一時停止する。
【００２７】
すなわち、ここでは、第１のスプリット番組（番組（１）（Ｐｒｏｇｒａｍ−Ａ１）３１ａ）の放送時間に合わせて録画を行い、第１のスプリット番組（番組（１）（Ｐｒｏｇｒａｍ−Ａ１）３１ａ）に関するフォルダ（３１ａ）を作成する。
【００２８】
そして、スプリット番組とは関連のない番組（番組（２）（Ｐｒｏｇｒａｍ−Ｂ）３２ａ）が放送されている時間は、番組再生装置（映像表示装置）１の録画機能を一時停止する。
【００２９】
その後、第２のスプリット番組（番組（３）（Ｐｒｏｇｒａｍ−Ａ２）３１ｂ）の放送時間に合わせて録画を行い、上記作成された第１のスプリット番組（番組（１）（Ｐｒｏｇｒａｍ−Ａ１）３１ａ）に関するフォルダ（３１ａ）に、この第２のスプリット番組（番組（３）（Ｐｒｏｇｒａｍ−Ａ２）３１ｂ）に関する内容を保存する。また、第１のスプリット番組（番組（１）（Ｐｒｏｇｒａｍ−Ａ１）３１ａ）と第２のスプリット番組（番組（３）（Ｐｒｏｇｒａｍ−Ａ２）３１ｂ）のスプリット番組に関する情報に関するフォルダ（４１）を作成する。
【００３０】
しかし、この方法は、録画の一時停止中は別の番組を録画することが難しい。
図５は、実施形態に係わるスプリット番組の管理方法を説明する図である。
ここでは、符号３１ａは第１のスプリット番組（番組（１）（Ｐｒｏｇｒａｍ−Ａ１）３１ａ）の放送時間に合わせて録画を行い、作成された第１のスプリット番組（番組（１）（Ｐｒｏｇｒａｍ−Ａ１）３１ａ）に関するフォルダである。
【００３１】
ここでは、例えば、ファイル名を「ＡＢＣ．ＤＴＶ」とし、番組再生装置（映像表示装置）１が内部記憶装置１７（例えばＨＤＤ）に記憶する。
符号４１ａは上記ＥＩＴから取得された、第１のスプリット番組（番組（１）（Ｐｒｏｇｒａｍ−Ａ１）３１ａ）に係るスプリット番組等の番組情報が保存されるメタ情報ファイルである。このメタ情報ファイル４１ａは、例えば、内部記憶装置１７（例えばＨＤＤ）に記憶する。
【００３２】
ここでは、例えば、メタ情報ファイル４１ａのファイル名を「ＡＢＣ．ＤＴＶ.ＭＥＴＡ」とする。
また、符号３１ｂは第２のスプリット番組（番組（３）（Ｐｒｏｇｒａｍ−Ａ２）３１ｂ）の放送時間に合わせて録画を行い、作成された第２のスプリット番組（番組（３）（Ｐｒｏｇｒａｍ−Ａ２）３１ｂ）に関するフォルダである。
【００３３】
ここでは、例えば、ファイル名を「ＤＥＧ．ＤＴＶ」とし、同様に、番組再生装置（映像表示装置）１が内部記憶装置１７（例えばＨＤＤ）に記憶する。
符号４１ｂはＥＩＴから取得された、第２のスプリット番組（番組（３）（Ｐｒｏｇｒａｍ−Ａ２）３１ｂ）に係るスプリット番組等の番組情報が保存されるメタ情報ファイルである。このメタ情報ファイル４１ｂも同様に、例えば、内部記憶装置１７（例えばＨＤＤ）に記憶する。
【００３４】
そして、例えば、メタ情報ファイル４１ｂのファイル名を「ＤＥＧ．ＤＴＶ.ＭＥＴＡ」とする。
そして、ここでは、上記メタ情報ファイル４１ａ、メタ情報ファイル４１ｂには、制御部１１により、スプリットＩＤ、スプリット数、スプリット番号が発行され、それぞれ記憶される。
【００３５】
ここでは、スプリットＩＤは関連性のあるスプリット番組どうしで発行される同じ値である。スプリットＩＤはスプリット番組でユニークな値である。このスプリットＩＤは、例えば、スプリット番組を録画するときに発行するようにしても良い。
【００３６】
また、スプリット数はスプリット元の番組がスプリット（分割）しているパートの数である。
また、スプリット番号は、スプリット元の番組の中のスプリット番組でユニークな値である。
ここでは、メタ情報ファイル４１ａには、「スプリットＩＤ＝５」、「スプリット数＝２」、「スプリット番号＝１」が発行され、記憶される。
また、メタ情報ファイル４１ｂには、「スプリットＩＤ＝５」、「スプリット数＝２」、「スプリット番号＝２」が発行され、記憶される。
そして、上記のように、第１のスプリット番組（番組（１）（Ｐｒｏｇｒａｍ−Ａ１）３１ａ）と第２のスプリット番組（番組（３）（Ｐｒｏｇｒａｍ−Ａ２）３１ｂ）はスプリット番組として関連性があるため、ここでは、スプリットＩＤは共通の「５」である。
【００３７】
また、ここでは、元の番組は、第１のスプリット番組（番組（１）（Ｐｒｏｇｒａｍ−Ａ１）３１ａ）と第２のスプリット番組（番組（３）（Ｐｒｏｇｒａｍ−Ａ２）３１ｂ）の２つで構成されるため、スプリット数は２である。
【００３８】
また、ここでは、第１のスプリット番組（番組（１）（Ｐｒｏｇｒａｍ−Ａ１）３１ａ）のスプリット番号は１、第２のスプリット番組（番組（３）（Ｐｒｏｇｒａｍ−Ａ２）３１ｂ）のスプリット番号は２である。
【００３９】
この実施の形態においては、上記のように、例えば、内部記憶装置１７（例えばＨＤＤ）に記憶されたスプリットID、スプリット数、スプリット番号等のスプリット番組に係る情報に基づいて、例えば、録画コンテンツのコンテンツリスト生成時や録画コンテンツの再生時にスプリット番組として関連性があるか等を判断する。
【００４０】
図６は、実施形態に係る番組再生装置から出力されるスプリット番組の録画リストを示す図である。
符号６０は、例えば表示画面８に表示出力される録画番組リストである。
ここでは、番組名の欄に、番組名「○  ○  ○」６１、番組名「Ａ  Ｂ  Ｃ」６２、番組名「Ｄ  Ｅ  Ｆ」６３、番組名「×  ×  ×」６４の番組（コンテンツ）が録画されていることをリスト表示している。
【００４１】
また、スプリット番組表示の欄には、番組名「Ａ  Ｂ  Ｃ」６２について「☆１」６５、番組名「Ｄ  Ｅ  Ｆ」６３について「☆２」６６が表示されている。
この「☆１」６５および「☆２」６６の表示は、番組名「Ａ  Ｂ  Ｃ」６２と番組名「Ｄ  Ｅ  Ｆ」６３はそれぞれスプリット番組であること、そして、番組名「Ａ  Ｂ  Ｃ」６２と番組名「Ｄ  Ｅ  Ｆ」６３はそれぞれスプリット番組として関連性があり、番組名「Ａ  Ｂ  Ｃ」６２は先に放送されたスプリット番組、番組名「Ｄ  Ｅ  Ｆ」６３は後に放送されたスプリット番組であることを示している。
【００４２】
図７は、実施形態に係る番組再生装置におけるスプリット番組の再生処理動作の一例を説明するフローチャートである。
符号Ｓ１００は、ここでの開始ステップである。続いて、ステップＳ１０１へ進む。
ステップＳ１０１は、例えば、ユーザが上記録画リストから、番組「ＡＢＣ」６２を選択し、再生を指示するステップである。続いて、ステップＳ１０２へ進む。
ステップＳ１０２は、上記再生指示された録画番組（番組「ＡＢＣ」６２）のスプリット番組情報を取得するステップである。上記のように、スプリット番組情報はデジタル放送のＥＩＴ等から取得可能である。続いて、ステップＳ１０３へ進む。
【００４３】
ステップＳ１０３は、再生指示された番組「ＡＢＣ」６２はスプリット番組か否かを判別するステップである。再生指示された番組「ＡＢＣ」６２はスプリット番組であると判別される場合はステップＳ１０４へ進む（Ｙｅｓ）。再生指示された番組「ＡＢＣ」６２はスプリット番組であると判別されない場合はステップＳ１０５へ進む（Ｎｏ）。
【００４４】
ステップＳ１０４は、指示された番組「ＡＢＣ」６２の再生に続き、取得したスプリット番組情報に基づいて、継続するスプリット番組（「ＤＥＦ」６３等）を再生するステップである。続いて、ステップＳ１０６へ進む。
【００４５】
ステップＳ１０５は、再生指示された番組「ＡＢＣ」６２を再生するステップである。続いて、ステップＳ１０６へ進む。
ステップＳ１０６は、録画番組の再生を終了するステップである。続いて、ステップＳ１０７へ進む。
ステップＳ１０７は、終了ステップであり、ここでの処理は終了する。
図８は、実施形態に係る番組再生装置におけるスプリット番組の再生処理動作の他の例を説明するフローチャートである。
符号Ｓ２００は、ここでの開始ステップである。続いて、ステップＳ２０１へ進む。
ステップＳ２０１は、ユーザが録画リストから、番組「ＡＢＣ」６２を選択し、再生指示するステップである。続いて、ステップＳ２０２へ進む。
ステップＳ２０２は、再生指示された録画番組（番組「ＡＢＣ」６２）を再生するステップである。続いて、ステップＳ２０３へ進む。
ステップＳ２０は、継続するスプリット番組はあるかを判別するステップである。継続するスプリット番組はあると判別される場合はステップＳ２０４へ進む（Ｙｅｓ）。継続するスプリット番組はないと判別される場合はステップＳ２０５へ進む（Ｎｏ）。
【００４６】
ステップＳ２０４は、継続するスプリット番組を再生するステップである。続いて、ステップＳ２０３へ進み、上記処理を繰り返す。
ステップＳ２０５は、スプリット番組を含む、番組の再生を終了するステップである。続いて、ステップＳ２０６へ進む。
ステップＳ２０６は、終了ステップであり、ここでの処理は終了する。
図９は、実施形態に係る番組再生装置において、スプリット番組の再生中に早送り指示またはスキップ処理指示を受ける場合の動作を説明するフローチャートである。
【００４７】
符号Ｓ３００は、ここでの開始ステップである。続いて、ステップＳ３０１へ進む。
ステップＳ３０１は、ユーザが録画リストから、番組「ＡＢＣ」６２を選択し、再生指示するステップである。続いて、ステップＳ３０２へ進む。
ステップＳ３０２は、再生指示された番組「ＡＢＣ」６２を再生するステップである。続いて、ステップＳ３０３へ進む。
ステップＳ３０３は、再生指示された録画番組（番組「ＡＢＣ」６２）のスプリット番組情報を取得するステップである。続いて、ステップＳ３０４へ進む。
ステップＳ３０４は、早送り再生またはスキップ再生の指示を受けたかを判別するステップである。早送り再生またはスキップ再生の指示を受けたと判別される場合は、ステップＳ３０５へ進む（Ｙｅｓ）。早送り再生またはスキップ再生の指示を受けないと判別される場合は、ステップＳ３０６へ進む（Ｎｏ）。
【００４８】
ステップＳ３０５は、早送り再生またはスキップ再生を行うステップである。続いて、ステップＳ３０６へ進む。
ステップＳ３０６は、取得したスプリット番組情報に基づき、継続するスプリット番組（「ＤＥＦ」６３等）があれば継続再生を行うステップである。また、継続するスプリット番組がなければ継続再生をしないステップである。続いて、ステップＳ３０７へ進む。
【００４９】
ステップＳ３０７は、録画番組の再生を終了するステップである。続いて、ステップＳ３０８へ進む。
ステップＳ３０８は、終了ステップであり、ここでの処理は終了する。
上記のように構成することによって、この発明の実施の形態においては、番組再生装置（映像表示装置）１において、スプリット番組の管理に係る煩雑さを低減し、ユーザの利便性を向上させることが可能になる。
【００５０】
なお、上記実施形態は、記述そのものに限定されるものではなく、実施段階では、その趣旨を逸脱しない範囲で、構成要素を種々変形して具体化することが可能である。
【符号の説明】
【００５１】
１…映像表示装置（番組再生装置）、２…アンテナ、３…チューナ、４…信号処理部、５…映像処理部、６…音声処理部、７…表示装置、８…表示画面（映像表示部）、９…スピーカ、１０…バス、１１…制御部、１２…ＭＰＵ、１３…ＲＡＭ、１４…ＲＯＭ、１５…フラッシュメモリ、１６…記憶部、１７…内部記録装置、１８…外部インターフェース、２５…放送局。
【図１】
2015039065.tif 000003
【図２】
2015039065.tif 000004
【図３】
2015039065.tif 000005
【図４】
2015039065.tif 000006
【図５】
2015039065.tif 000007
【図６】
2015039065.tif 000008
【図７】
2015039065.tif 000009
【図８】
2015039065.tif 000010
【図９】
2015039065.tif 000011